(57)【特許請求の範囲】
【請求項１】
略箱状の配線盤本体と、その配線盤本体の内部に収納される略箱状の機能ユニットとを備えた配線盤であって、前記配線盤本体に、前記機能ユニットを支持する長尺の凹溝を有する機能ユニット保持部と、前記機能ユニットの、前記機能ユニット保持部の長手方向の位置決めを行うための本体側位置決め部とが形成されていると共に、前記機能ユニットの一端の側面にケーブルが接続されるコネクタが設けられ、前記機能ユニットの他端に、前記機能ユニット保持部の凹溝に嵌入される嵌合部と、前記本体側位置決め部と嵌合するユニット側位置決め部が設けられており、前記本体側位置決め部は、前記機能ユニット保持部の長手方向に一定の保持部間隔で設けられていると共に、前記機能ユニットの、前記機能ユニット保持部の長手方向の寸法が、保持部間隔の整数倍の寸法より一定のユニット間隔寸法だけ短い寸法に設定されていると共に、隣接する前記機能ユニット間に隙間が形成されるように、前記機能ユニット保持部の長手方向に面する前記機能ユニットの側面と、その側面に最も近い位置に形成されたユニット側位置決め部間の連設方向の寸法が設定されていることを特徴とする配線盤。
【発明の詳細な説明】
【０００１】
【発明の属する技術分野】
本発明は、住宅内の同軸ケーブル配線やツイストペア配線等に用いられる、配線盤および機能ユニットに関するものである。
【０００２】
【従来の技術】
ＴＶアンテナの同軸ケーブルに接続されるブースターや、ＩＳＤＮのＤＳＵを格納する配線盤の一例を図３に基づいて説明する。図３は、配線盤に接続される信号線、及び、それらの信号線を介して接続される機器の構成を示す構成図である。
【０００３】
図３に示すように、ＴＶアンテナ（Ｕ／Ｖアンテナ、ＢＳアンテナ、ＣＳアンテナ）に接続された閉域外同軸ケーブルが、住戸内に設けられた配線盤の内部に引き込まれている。また、配線盤からは、その一端が住戸内に設けられた複数のＴＶコンセントに接続される閉域内同軸ケーブルが引き出されており、各ＴＶコンセントには、ＣＳ端子、Ｕ／Ｖ・ＢＳ端子が設けられ、それらの端子にはＴＶ受像機が接続されている。これにより、各ＴＶアンテナで受信された信号は、閉域外同軸ケーブル、配線盤内のブースタ（後述）及び混合器及び分配器、閉域内同軸ケーブル、各端子を介してＴＶ受像機に伝送される。
【０００４】
また、ＩＳＤＮ回線の信号線（閉域外ペアケーブル）が屋内に引き込まれており配線盤内部に配設されたＤＳＵ（後述）、及び、閉域内ペアケーブルを介して、住戸内に配設された複数のモジュラーコネクタに接続され、モジュラーコネクタにはＩＳＤＮ電話（デジタル電話）またはパーソナルコンピュータが接続されている。
【０００５】
次に、図４に基づいて配線盤の内部構造の一例について説明する。但し、ＴＶアンテナが、Ｕ／Ｖアンテナ及びＢＳアンテナである場合の内部構造を示す。図４に示すように、略箱状の配線盤の側面に形成された開口（図示省略）を通して、配線盤内部には、ＴＶアンテナ（Ｕ／Ｖアンテナ及びＢＳアンテナ）に接続された閉域外同軸ケーブルが引き込まれており、それぞれ、対応する略箱状のＴＶ共聴用ブースタ（Ｕ／Ｖブースタ、ＢＳブースタ）に接続されている。また、各ブースタの出力は混合器に接続され、混合器の出力は分配器に接続され、分配器の各出力は、それぞれ、住戸内のＴＶコンセントに接続されている。
【０００６】
また、屋外から引き込まれたＩＳＤＮの信号線（閉域外ペアケーブル）が、ＤＳＵのＵ点端子に接続され、ＤＳＵのＳ／Ｔ点端子には、ＩＳＤＮ電話等が接続される閉域内ペアケーブルが接続されている。さらに、配線盤内部には、電源コンセントが設けられており、Ｕ／Ｖブースタ、ＢＳブースタ、ＤＳＵの各電源ケーブルがその電源コンセントに接続されている。
【０００７】
【発明が解決しようとする課題】
図４に示すように、従来の配線盤では、配線盤内に収納される、ブースタ等の機器の筐体形状が様々であり、また、各機器の同軸コネクタ等のコネクタに信号線を接続するために必要なスペース（ケーブル引き回しスペース）を大きく確保しなければならないため、配線盤の筐体が大きくなるという問題点があった。また、配線盤内部に機器を追加する場合や、機器を変更しようとする場合、機器の筐体形状によっては、機器が占有するスペース、または、その機器に接続する信号線のケーブル引き回しスペースに制限されて、機器の追加や変更が難しいという問題点があった。
【０００８】
本発明は上記の問題点を解決するためになされたもので、その目的とするところは、配線盤の小型化が図れ、施工及び保守管理が容易に行える配線盤の構造を提供することにある。
【０００９】
【課題を解決するための手段】
請求項１記載の配線盤は、略箱状の配線盤本体と、その配線盤本体の内部に収納される略箱状の機能ユニットとを備えた配線盤であって、前記配線盤本体に、前記機能ユニットを支持する長尺の凹溝を有する機能ユニット保持部と、前記機能ユニットの、前記機能ユニット保持部の長手方向の位置決めを行うための本体側位置決め部とが形成されていると共に、前記機能ユニットの一端の側面にケーブルが接続されるコネクタが設けられ、前記機能ユニットの他端に、前記機能ユニット保持部の凹溝に嵌入される嵌合部と、前記本体側位置決め部と嵌合するユニット側位置決め部が設けられており、前記本体側位置決め部は、前記機能ユニット保持部の長手方向に一定の保持部間隔で設けられていると共に、前記機能ユニットの、前記機能ユニット保持部の長手方向の寸法が、保持部間隔の整数倍の寸法より一定のユニット間隔寸法だけ短い寸法に設定されていると共に、隣接する前記機能ユニット間に隙間が形成されるように、前記機能ユニット保持部の長手方向に面する前記機能ユニットの側面と、その側面に最も近い位置に形成されたユニット側位置決め部間の連設方向の寸法が設定されていることを特徴とするものである。
【００１０】
【発明の実施の形態】
図１及び図２に基づいて本発明の配線盤の一実施形態について説明する。図１（ａ）は、機能ユニットを取り付けた配線盤の構造を示す平面図、図１（ｂ）は上面図、図２は機能ユニットの斜視図である。
【００１１】
図１で、配線盤は、上方及び一方の側方に開口を有する略箱状配線盤本体１と、木板２と、配線盤本体１の底部に取り付けられた機能ユニット（略箱状のＢＳ・Ｕ／Ｖブースタユニット３、ＣＳ偏波切替ユニット４、ＤＳＵユニット５）とを備えている。
【００１２】
配線盤本体１の底面上には、木板２が取り付けられており、その木板２の一端の表面上には、側面視略Ｌ字状のレール部材が取り付けられ、長尺の凹溝１ａを有する機能ユニット保持部１ｂが形成されている。凹溝１ａは、配線盤本体１の側面に形成された開口（ケーブル挿通口）の方向に開口するように取り付けられている。また、配線盤本体１には、機能ユニット３，４，５の、機能ユニット保持部１ｂの長手方向の位置決めを行うための本体側位置決め部１ｃが形成されている。本体側位置決め部１ｃは、凹溝１ａの内部の、木板２の表面に垂直な面上に突設された凸状の形状であり、一定の間隔で複数設けられている。
【００１３】
各機能ユニット３，４，５の一端の側面には、ケーブルが接続されるコネクタが設けられている。同軸ケーブル等の信号線は、配線盤本体１の一方の側方に形成された開口を通して、その開口に面する各機能ユニット３，４，５のコネクタに接続される。このように構成することにより、信号線を引き回す方向が統一され、信号線を布設しやすくなる。
【００１４】
各機能ユニット３，４，５の他端には、機能ユニット保持部１ｂの凹溝１ａに嵌入される嵌合部として、各機能ユニット３，４，５の他端の底面から側方に突設された舌片３ｃ，４ｃ，５ｃが設けられている。また、それらの舌片３ｃ，４ｃ，５ｃの先端部には、本体側位置決め部１ｃと嵌合する、凹溝状のユニット側位置決め部３ｄ，４ｄ，５ｄが形成されている。このように、各機能ユニット３，４，５と機能ユニット保持部１ｂとを構成することにより、機能ユニット３，４，５を配線盤本体１に取り付けた場合、舌片３ｃ，４ｃ，５ｃと、本体側位置決め部１ｃとが嵌合するので、各機能ユニットの横方向（各機能ユニット３，４，５を連接する方向）の位置決めを行うことができる。
【００１５】
図１に示す例では、本体側位置決め部１ｃは、機能ユニット保持部１ｂの長手方向に一定の保持部間隔（４ｃｍ）で複数設けられていると共に、各機能ユニット３，４，５の、機能ユニット保持部１ｂの長手方向の寸法が、保持部間隔（４ｃｍ）の整数倍の寸法より一定のユニット間隔寸法（１ｃｍ）だけ短い寸法に設定されている。例えば、ＢＳ・Ｕ／Ｖブースターユニット３は、その横幅が、４ｃｍの３倍の寸法から１ｃｍを引いた１１ｃｍに設計され、ＣＳ偏波切換ユニット４の横幅は、４ｃｍの４倍の寸法から１ｃｍを引いた１５ｃｍに設計され、ＤＳＵユニット５の横幅は、４ｃｍから１ｃｍを引いた３ｃｍに設計されている。
【００１６】
また、隣接する機能ユニット３，４，５間に隙間が形成されるように、各機能ユニット３，４，５において、機能ユニット保持部１ｂの長手方向に面する機能ユニット３，４，５の側面と、その側面に最も近い位置に形成されたユニット側位置決め部３ｄ，４ｄ，５ｄ間の連設方向の寸法は１ｃｍに設定されている。このような寸法に設定することによって、機能ユニット３，４，５をどの順番に連設配置しても、舌片３ｃ，４ｃ，５ｃを、本体側位置決め部１ｃに嵌合させれば、隣接する機能ユニット３，４，５間の間隔は一定の間隔となる。
【００１７】
【発明の効果】
請求項１記載の配線盤によれば、各機能ユニットが、長尺状の機能ユニット保持部に沿って横一列に連設することができ、機能ユニットのコネクタに接続されるケーブル類の布設方向を統一することができるので、施工時の配線の引き回しが容易になる。また、機能ユニットの一端を長尺状の凹溝に挿入して保持させた後、横方向にスライドさせ、本体側位置決め部とユニット側位置決め部とを嵌合させるだけで、特定の位置に機能ユニットを配置できるので、機能ユニット取付施工時の位置決め作業が容易となり、省施工化が図れる。さらに、盤内温度の上昇を抑えるための、気流の流れを良くする等の目的で、機能ユニットを一定間隔をあけて位置決め配置する場合、機能ユニットを、どのような順番に配置しても、隣接する機能ユニットの間隔が、ある一定間隔となるので、位置決め作業が容易となり、省施工化が図れる。
【図面の簡単な説明】
【図１】  本発明の配線盤を示す図で、（ａ）は、機能ユニットを取り付けた配線盤の構造を示す平面図、（ｂ）は上面図である。
【図２】  機能ユニットの斜視図である。
【図３】  従来の配線盤に接続される信号線、及び、それらの信号線を介して接続される機器の構成を示す構成図である。
【図４】  従来の配線盤の内部構造の一例を示す平面図である。
【符号の説明】
１                配線盤本体
１ａ              凹溝
１ｂ              機能ユニット保持部
１ｃ              本体側位置決め部
３                ＢＳ・Ｕ／Ｖブースタユニット（機能ユニット）
３ｃ，４ｃ，５ｃ  舌片（嵌合部）
３ｄ，４ｄ，５ｄ  ユニット側位置決め部
４                ＣＳ偏波切替ユニット（機能ユニット）
５                ＤＳＵユニット（機能ユニット）
【図１】
0003709744.tif 000002
【図２】
0003709744.tif 000003
【図３】
0003709744.tif 000004
【図４】
0003709744.tif 000005